(57)【要約】　　　（修正有）【課題】袋口がどの部位でもあらゆる角度に変形可能であり、その変形した状態を次に他の角度に変形したい場合まで保持することができ、袋口を何度でも自由に変形することができる袋を提供する。【解決手段】プラスチック袋２の袋口４に沿って、好ましくは袋口の外側に、プラスチック製、好ましくはポリオレフィン製の形状保持テープ１が融着又は接着されており、形状保持テープは長さ方向に圧延延伸去れたプラスチックテープであり、任意の部位を曲げた場合に、任意の角度に容易に曲がり、次に異なる曲げ角度に修正する力が加わるまでは、先の曲げ角度を保持することができる。【選択図】　　図１
0003099812.tif 000002
【実用新案登録請求の範囲】
【請求項１】
プラスチック袋の袋口に沿ってプラスチック製の形状保持テープが融着又は接着されていることを特徴とする袋口の形状を保持できる袋。
【請求項２】
形状保持テープが長さ方向に圧延延伸されたプラスチックテープであり、任意の部位を曲げた場合に、任意の角度に容易に曲がり、次に異なる曲げ角度に修正する力が加わるまでは、先の曲げ角度を保持することができる請求項１記載の袋口の形状を保持できる袋。
【請求項３】
形状保持テープがポリオレフィンを主材料とするテープであることを特徴とする請求項１又は２記載の袋口の形状を保持できる袋。
【請求項４】
袋口の外側に性状保持テープが固着されていることを特徴とする請求項１ないし３のいずれかに記載する袋口の形状を保持できる袋。
【考案の詳細な説明】
【０００１】
【考案が属する技術分野】
本考案は袋口の形状を自由に変形できる袋であり、より詳しくは袋口を閉じたり、全開したり、くちばし状の注ぎ口を設けた形状にしたり、様々に変形でき、その形状を長く保持できると共に、新たに別の形状に変形させることができる袋口の形状を一定に保持できる袋に関する。
【０００２】
【従来の技術】
近時、プラスチック袋はその透明性、柔軟性、密封性、印刷適性、加工容易性等、多くの長所を有するため、生活のあらゆる分野で広く使用されている。袋の形状としては、二方シール袋、三方シール袋、ピロー袋、ガセット袋、スタンド袋等を挙げることができる。袋を製造するフィルムも１種類のプラスチックからなる単層フィルムの他、異種プラスチックフィルムを積層したり、紙、アルミニウム層等プラスチック以外の素材を積層した、それぞれの用途に応じて開発された各種ラミネートフィルムが広く使用されている。
【０００３】
従来、袋に使用されるプラスチックフィルムは薄く、種々の形状に変化させられるが、その形状を保持することはできない。袋口を円形に広げて、袋を起立させても手を離すと袋は倒れて袋口は横を向いた形になる。一方、針金は各種形状に任意の部位から折曲げることができ、針金を袋口に通すことも考えられる。しかし、廃棄する場合に針金は金属で不燃物ゴミとなり、地球環境保護の上で好ましくない。プラスチックは燃やすことができ、特にポリオレフィンは燃焼の際有害ガスを発生しない。
【０００４】
【考案が解決しようとする課題】
例えば、製品を袋詰めする工程等において、袋口が円形に全開した状態であれば作業がはかどる。ゴミ袋などでも袋口が全開していれば、投げ入れることができて便利であり、使用しない時には袋口を閉じることができる金属以外の素材、好ましくはプラスチック素材を袋口に接着又は融着したプラスチック袋が求められていた。
【０００５】
【課題を解決するための手段】
本考案は上記課題を解決することを目的とし、その構成は、プラスチック袋の袋口に沿って、好ましくは袋口の外側に、プラスチック製、好ましくはポリオレフィン製の形状保持テープが融着又は接着されており、該形状保持テープは長さ方向に圧延延伸されたプラスチックテープであり、任意の部位を曲げた場合に、任意の角度に容易に曲がり、次に異なる曲げ角度に修正する力が加わるまでは、先の曲げ角度を保持することができる。
【０００６】
すなわち、本考案はプラスチック製、特にポリオレフィン製で針金や薄い金属板のように任意の部位で任意の角度に折曲げることができ、この曲げ角度をそのまま保持することができ、他の角度に曲げたい場合には自由に曲がり、且つその角度を維持することができるような素材であり、しかもこの操作を何回でも繰返すことができる素材を、プラスチックの袋の袋口に固着したものである。
【０００７】
【考案の実施の形態】
本考案のプラスチック袋は特に限定がない。大きさは一辺が３ｃｍ程度の小さいものから一辺が１ｍ以上の大きいものまで使用できる。形状も二方シール袋、三方シール袋、ピロー袋、ガセット袋、スタンド袋等いずれも使用でき、縦、横の長さの比率も自由である。
【０００８】
素材はポリエチレン、ポリプロピレン等のポリオレフィン、ポリ塩化ビニル、ポリスチレン、ポリエステル、ナイロン等が使用でき、これらを単層で或いは積層して使用する。或いはアルミニウム蒸着層、アルミニウム箔、紙、繊維等の異種素材を積層することもできる。又、ポバール、ポリ塩化ビニリデン、エバール等の異種プラスチック層を積層することもできる。
【０００９】
本考案で使用するプラスチック製の形状保持テープは、ポリエチレン又はポリプロピレン等のポリオレフィンが好ましい。加熱溶融したペレットをＴダイから押出し、長さ方向に強く圧延延伸することにより得られるフィルムである。このフィルムを必要な幅に延伸方向に切断したものを使用することができる。このようなフィルムは市販されており、例えばフォルテ（商品名、積水化学社製、ポリエチレン超延伸シート）等を購入することができる。このシートを延伸方向に必要幅に切断し、本考案の形状保持テープを得ることができる。
【００１０】
袋口に形状保持テープを固着させるにあたっては、袋素材の外表面のフィルムと融着させることができる。この場合には袋の外表面のフィルムがポリオレフィン等の低い温度で軟化するフィルムである。ポリエステルやナイロン等低い温度で軟化しないフィルムに関しては接着剤を介して接着することができる。形状保持テープは袋の外側に固着させることが多いが、内側でもよく、或いは袋口を２つ折りし、その間に形状保持テープを挟み込み、形状保持テープの両面を接着或いは融着することができる。この場合もフィルムの折り方は外向きでも内向きでもよい。
袋口とは袋の開口部の先端部であるが、正確に先端部である必要はなく先端部近辺であればよい。
【００１１】
形状保持テープの厚さは目的に応じて広い範囲で選択できるが、０．１ｍｍ〜２．０ｍｍが好ましく、より好ましくは０．３〜１．０ｍｍである。形状保持テープの幅も特に限定しないが１ｍｍ〜２０ｍｍが好ましく、より好ましくは３〜１０ｍｍである。好ましい厚さの形状保持テープを購入し、フィルムの圧延延伸方向と同一方向に、目的とする幅に切断すればよい。
【００１２】
【実施例】
図１は袋口を最大に丸く広げた状態の斜視図、図２は本考案の袋の袋口を２つ折りし、更に２つ折りしたもので全体として４つ折り状態の斜視図である。図３は図１の破線で囲んだ部分の拡大断面図である。
【００１３】
公演終了後の劇場の掃除において、横７０ｃｍ、縦９０ｃｍの本考案袋２を、図１に示すように用意した。袋２はポリプロピレンの単層フィルムからなる袋であり、形状保持テープ１は厚さ３ｍｍの積水化学社製のポリエチレン超延伸シート、フォルテを、幅１ｃｍに樹脂の延伸方向に切断して得たものを使用した。３はフィルムであり、４は袋口である。形状保持テープ１は袋口４より若干奥に外面から融着した。５は形状保持テープ１と袋３との融着部である。
【００１４】
袋口４を図１に示すように大きく開いた状態に保持することができるため、大部分のゴミは投げるだけで袋２内に入った。その後、細かい塵を箒で掃いて袋２内に投入した。次の場所に移動するとき、その距離が長い場合は持ち運びが不便なため、図２に示すように袋口４を４つ折りにして運んだ。勿論、２つ折りでも、８つ折りでもその場に応じて自由である。また、掃除をする場所にきた時には袋口４を再び図１に示すように大きく開いて作業を行った。その結果、作業効率が飛躍的に向上し、作業時間は従来の１／３程度短縮され、作業者の疲労も少なかった。
【００１５】
【考案の効果】
袋口に形状保持テープを融着或いは接着する本考案により、袋口がどの部分でもあらゆる角度に変形可能であり、その変成した状態をいつまでも保持することができ、次に他の角度に変形したい場合は何度でも自由に変形することができ、袋の機能が飛躍的に向上した。
【図面の簡単な説明】
【図１】図１は本考案の１実施例の袋口を大きく開いた時の斜視図である。
【図２】図２は本考案の１実施例の袋口を４つ折りした状態を示す斜視図である。
【図３】図３は図１の破線で囲んだ部位の断面図である。
【符号の説明】
１　形状保持テープ
２　袋
３　フィルム
４　袋口
５　融着部
【図１】
0003099812.tif 000003
【図２】
0003099812.tif 000004
【図３】
0003099812.tif 000005